(57)【特許請求の範囲】
【請求項１】
シートを一方向に搬送する複列の搬送ベルトと、その搬送ベルトのキャリア側ベルトを支持するテーブルと、そのテーブルの両側上部に設けられた一対のラックと、各ラックに沿って移動可能な一対のスライドガイド間に角筒状のアーム支持軸をかけ渡した門形の可動枠と、前記アーム支持軸内に挿入されてスライドガイドにより両端部が回転自在に支持され、一方のスライドガイドを貫通して外部に臨む端部に摘みが固定されたギヤ軸と、そのギヤ軸に固定された各ラックに噛合するピニオンと、前記アーム支持軸によって一端部が支持された複数のローラアームと、各ローラアームの他端部に弾性支持されて前記搬送ベルトに弾力的に当接する押えローラとから成り、前記可動枠におけるアーム支持軸の両端部をスライドガイドによって回転自在に支持し、そのアーム支持軸に回転操作用のレバーを連結した枚葉印刷機の給紙装置。
【請求項２】
前記アーム支持軸を、押えローラが搬送ベルトを押える位置と、搬送ベルトから上方に離反した位置とで回り止めする回り止め機構を設けた請求項１に記載の枚葉印刷機の給紙装置。
【請求項３】
前記回り止め機構が、アーム支持軸の両端部に取り付けられた円形ホルダを各スライドガイドによって回転自在に支持し、そのホルダの外周に第１係合孔および第２係合孔を周方向に間隔をおいて形成し、スライドガイドにはスプリングの弾力により前記ホルダの外周に向けて突出性が付与された係合ピンを有し、その係合ピンと第１係合孔および第２係合孔の係合によってホルダを回り止めするインデックスプランジャを取り付けた構成から成る請求項２に記載の枚葉印刷機の給紙装置。
【発明の詳細な説明】
【０００１】
【発明の属する技術分野】
この発明は、枚葉印刷機における給紙装置に関するものである。
【０００２】
【従来の技術】
枚葉印刷機における給紙装置においては、給紙部からテーブル上に送り込まれるシートを複列の搬送ベルトで一方向に搬送し、各搬送ベルト上に押えローラを設けてシートを搬送ベルトに押し付けるようにしている。ここで、押えローラは板ばね等によって弾性支持され、シートを所定の圧力で押さえるようになっている。また、押えローラはシートのサイズに応じてシートの搬送方向に位置調整される。その位置調整に際し、押えローラを個々に位置調整すると、調整に手間がかかるため、複数の押えローラを一括して位置調整できるようにしている。
【０００３】
枚葉印刷機では、給紙部からテーブル上に送り込まれたシートをテーブルの前側部において前縁の位置決めと、一側縁の位置決めとを行ない、その位置決め後に、圧胴に設けられたくわえ爪の位相にタイミングを合わせてシートを送り込むようにしている。
【０００４】
シートの位置決めに際し、シートの送りにミスが生じてシートが送り込まれてこない場合、あるいは前当てに対するシートの前縁の位置決め時に、シートの行き過ぎ、はね返り、折れ曲がりなどでレジスタ不良が生じることがある。このようなレジスタ不良は検出センサによって検出され、その検出センサがレジスタ不良を検出すると機械を自動停止させ、シートを人手によって取り除くようにしている。
【０００５】
【発明が解決しようとする課題】
ところで、レジスタ不良によるシートの取り除きに際し、従来は、複数の押えローラを一括して後退させ、その押えローラを除去しようとするシートの後縁より後方に位置させたのちシートを取り除くようにしているため、排紙に非常に手間がかかっていた。
【０００６】
給紙装置には、複数の押えローラを支持するローラユニットの全体を揺動自在に支持し、そのローラユニットの全体を上方に揺動させてシートを取り除くようにしたものも存在するが、この場合、ローラユニットの剛性を高めて変形しないようにする必要があり、ローラユニットの構成が複雑化し、また、重量も重くなるため、ローラユニットの揺動に大きな操作力を必要とするという不都合がある。
【０００７】
この発明の課題は、レジスタ不良によるシートの排除を簡単に能率よく行うことができるようにした簡単な構成の給紙装置を提供することである。
【０００８】
【課題を解決するための手段】
上記の課題を解決するために、この発明においては、シートを一方向に搬送する複列の搬送ベルトと、その搬送ベルトのキャリア側ベルトを支持するテーブルと、そのテーブルの両側上部に設けられた一対のラックと、各ラックに沿って移動可能な一対のスライドガイド間に角筒状のアーム支持軸をかけ渡した門形の可動枠と、前記アーム支持軸内に挿入されてスライドガイドにより両端部が回転自在に支持され、一方のスライドガイドを貫通して外部に臨む端部に摘みが固定されたギヤ軸と、そのギヤ軸に固定された各ラックに噛合するピニオンと、前記アーム支持軸によって一端部が支持された複数のローラアームと、各ローラアームの他端部に弾性支持されて前記搬送ベルトに弾力的に当接する押えローラとから成り、前記可動枠におけるアーム支持軸の両端部をスライドガイドによって回転自在に支持し、そのアーム支持軸に回転操作用のレバーを連結した構成を採用したのである。
【０００９】
上記のように構成すれば、レバーの操作によりアーム支持軸を回転させることにより、複数のローラアームを、その先端の押えローラが搬送ベルトから離反する方向に一括して揺動させることができるため、レジスタ不良によるシートを簡単に能率よく排除することができる。
【００１０】
ここで、押えローラが搬送ベルトを押える位置と、搬送ベルトから上方に離反した位置とでアーム支持軸を回り止めする回り止め機構を設けておくことにより、押えローラを搬送ベルトから離反させた位置で停止保持しておくことができるため、レジスタ不良によるシートの取り除き時にレバーを保持しておく必要がなくなり、シートをより簡単に取り除くことができる。
【００１１】
前記回り止め機構として、アーム支持軸の両端部に取り付けられた円形ホルダを各スライドガイドによって回転自在に支持し、そのホルダの外周に第１係合孔および第２係合孔を周方向に間隔をおいて形成し、スライドガイドにはスプリングの弾力により前記ホルダの外周に向けて突出性が付与された係合ピンを有し、その係合ピンと第１係合孔および第２係合孔の係合によってホルダを回り止めするインデックスプランジャを取り付けた構成から成るものを採用することができる。
【００１２】
【発明の実施の形態】
以下、発明の実施の形態を図面に基づいて説明する。図１および図２に示すように、図示省略の給紙部から送り込まれるシートを印刷部に向けて搬送する複列の搬送ベルト１は、前部ローラ２と後部ローラ３間にかけ渡され、図１の矢印方向にシートを搬送するようになっている。
【００１３】
複列の搬送ベルト１におけるキャリア側ベルト１ａはテーブル４によって支持されている。テーブル４の両側上部には一対のラック５が設けられている。ラック５はシートの搬送方向に長く延びている。
【００１４】
テーブル４上には可動枠６が設けられている。可動枠６は前記各ラック５に沿って移動可能な一対のスライドガイド７間にアーム支持軸８をかけ渡した門形とされている。
【００１５】
図４に示すように、スライドガイド７は、Ｌ形のブラケット９と、そのブラケット９の下面に一端部が連結され、他端部がラック５の下面に対して摺動可能なスライドブロック１０と、前記ブラケット９の上部に連結され、外側面の下部がラック５の内側面に対して摺動可能な軸受ブロック１１とから成る。
【００１６】
アーム支持軸８は角筒状をなし、その両端部に取り付けた円形の軸受ホルダ１２が前記軸受ブロック１１に形成された軸受孔１３に嵌合されて回転自在に支持されている。
【００１７】
アーム支持軸８の内側にはギヤ軸１４が挿入され、そのギヤ軸１４はスライドガイド７のブラケット９に形成された挿入孔１５に挿入されて回転自在に支持されている。ギヤ軸１４にはスライドガイド７内に挿通する部分にピニオン１６が取り付けられ、そのピニオン１６はラック５と噛合している。
【００１８】
ギヤ軸１４はブラケット９の外周上部から挿入孔１５に向けてねじ込まれたロックボルト１７によって固定され、そのロックボルト１７を弛めてギヤ軸１４を一端部に取り付けた摘み１８の操作により回転させることにより可動枠６が一対のラック５の長さ方向に移動して、可動枠６の位置を調整し得るようになっている。
【００１９】
図１および図３に示すように、アーム支持軸８には複数のローラアーム１９の各後端部に取り付けられたコの字形の枠体２０がスライド自在に嵌合されている。
【００２０】
このため、ローラアーム１９はアーム支持軸８の軸方向に位置調整可能とされ、前記枠体２０にねじ係合したボルト２０ａを締め付けることによって調整位置で固定されるようになっている。
【００２１】
ローラアーム１９の先端部に板ばね２１の後端部が連結され、その板ばね２１の先端部に押えローラ２２が回転自在に支持されている。押えローラ２２は前記板ばね２１の弾性によって搬送ベルト１のキャリア側ベルト１ａに押し付けられている。
【００２２】
なお、板ばね２１は弾性力を調整し得るようになっているが、図では板ばね２１の弾力調整手段を省略している。
【００２３】
図５に示すように、アーム支持軸８の一端部にはレバー２３の端部に取り付けられた連結ブロック２４が連結され、そのレバー２３の操作によりアーム支持軸８を回転させることによって、押えローラ２２が搬送ベルト１のキャリア側ベルト１ａから離反する位置に向けて複数のローラアーム１９を一括して揺動させることができるようになっている。
【００２４】
アーム支持軸８は、軸受ブロック１１と軸受ホルダ１２の相互間に設けた回り止め機構２５によって回り止めされる。
【００２５】
図６に示すように、回り止め機構２５は、軸受ホルダ１２の外周に第１係合孔２６と第２係合孔２７を周方向にほぼ９０°の間隔をおいて設け、一方、軸受ブロック１１には外周上部から軸受孔１３に至るねじ孔２８にインデックスプランジャ２９を取り付けている。
【００２６】
ここで、インデックスプランジャ２９は、ねじ孔２８にねじ係合されるねじ筒３０内に係合ピン３１をスライド自在に挿入し、その係合ピン３１の後端部に摘み３２を取付け、前記ねじ筒３０内に組み込まれたスプリング３３により係合ピン３１を軸方向に押圧して係合ピン３１の先端部がねじ筒３０の先端より突出する状態に保持しており、前記係合ピン３１の先端部を第１係合孔２６に係合させることによって押えローラ２２が搬送ベルト１を押圧する状態でアーム支持軸８が回り止めされる。また、係合ピン３１を第２係合孔２７に係合させることによって押えローラ２２が搬送ベルト１から上方に離反する状態でアーム支持軸８が回り止めされるようになっている。
【００２７】
実施の形態で示す給紙装置は上記構成から成り、シートの搬送に際しては、押えローラ２２を搬送ベルト１のキャリア側ベルト１ａに弾性接触させた状態として、搬送ベルト１を図１の矢印方向に移動させる。
【００２８】
押えローラ２２は搬送されるシートのサイズに応じて位置を調整する。押えローラ２２の位置調整に際しては、図４に示すロックボルト１７を弛め、摘み１８の操作によってギヤ軸１４を回転し、ラック５に噛合するピニオン１６の回転によって可動枠６を一対のラック５に沿って移動させる。
【００２９】
給紙装置は、普通、シートをラップ状態で搬送する。搬送されるシートはテーブル４の前側部に設けられた図示省略の前当てで前縁が受け止められて前縁が位置決めされ、その位置決め後、搬送方向と直交する方向に横引きされ、図示省略した横針に対する当接によって一側縁が位置決めされる。
【００３０】
上記のようなシートの位置決めに際し、シートの送りにミスが生じてシートが送り込まれない場合、あるいは、前当てに対するシートの前縁の位置決め時にシートが行き過ぎ、はね返り、あるいは折れ曲がりなどでレジスタ不良が生じると、給紙装置は停止状態に保持される。
【００３１】
その停止状態においてレジスタ不良のシートの取り除きが行われる。シートの取り除きに際しては、図６に示すインデックスプランジャ２９の摘み３２の引き上げによって係合ピン３１の先端部を第１係合孔２６から引き抜いてアーム支持軸８の回り止めを解除したのち、レバー２３の操作によりアーム支持軸８を回転し、複数のローラアーム１９を一括して押えローラ２２が搬送ベルト１から離反する方向に揺動させる。アーム支持軸８の回転により、軸受ホルダ１２はアーム支持軸８と共に回転し、その軸受ホルダ１２に設けられた第２係合孔２７がインデックスプランジャ２９の係合ピン３１と対向すると、係合ピン３１は第２係合孔２７に係合し、その係合によってアーム支持軸８が回り止めされ、複数のローラアーム１９は押えローラ２２が搬送ベルト１が離反する状態に保持され、その状態においてレジスタ不良のシートを取り除く。
【００３２】
このように、レバー２３を操作してアーム支持軸８を回転させることにより、複数の押えローラ２２を一括して搬送ベルト１から離反させることができるため、押えローラをシートの後縁を通過する位置まで後退させるようにした給紙装置や、複数の押えローラを有するローラユニットを揺動させるようにした給紙装置に比較して、レジスタ不良によるシートをきわめて簡単に能率よく取り除くことができる。
【００３３】
また、アーム支持軸８には押えローラ２２を支持する複数のローラアーム１９が連結されている簡単な構成であるため、軽量であり、小さな操作力によってアーム支持軸８を回転させることができる。
【００３４】
【発明の効果】
以上のように、この発明においては、レバーの操作によってアーム支持軸を回転させることにより、複数のローラアームのそれぞれで支持された複数の押えローラを一括して搬送ベルトから離反する方向に逃がすことができるため、レジスタ不良によるシートの取り除きを簡単に能率よく行うことができる。
【００３５】
また、アーム支持軸には押えローラを支持する複数のローラアームが連結されている簡単な構成であるため、軽量であり、小さな操作力によってアーム支持軸を回転させることができる。
【図面の簡単な説明】
【図１】この発明に係る給紙装置の平面図
【図２】図１の正面図
【図３】図１のIII −III 線に沿った断面図
【図４】図１に示す可動枠の一部を拡大した断面図
【図５】図４のＶ−Ｖ線に沿った断面図
【図６】図４のVI−VI線に沿った断面図
【符号の説明】
１  搬送ベルト
１ａ  キャリア側ベルト
４  テーブル
５  ラック
６  可動枠
７  スライドガイド
８  アーム支持軸
１４  ギヤ軸
１６  ピニオン
１８  摘み
１９  ローラアーム
２２  押えローラ
２３  レバー
２５  回り止め機構
２６  第１係合孔
２７  第２係合孔
２９  インデックスプランジャ
３１  係合ピン
３３  スプリング
【図１】
0003898930.tif 000002
【図２】
0003898930.tif 000003
【図３】
0003898930.tif 000004
【図４】
0003898930.tif 000005
【図５】
0003898930.tif 000006
【図６】
0003898930.tif 000007